(57)【要約】【課題】反射シートを用いて十分な集光率を得るような太陽光発電装置を提供すること。【解決手段】略長方形の受光面が南側上方に傾斜した太陽電池を南北方向に２列以上配置した太陽光発電装置において、太陽電池の北端辺とその下の設置地面との間の第一の反射シート、太陽電池の南端辺とその下の設置地面との間に第二の反射シートを張り、第一の反射シートの接地線と第二の反射シートの接地線との間の列間設置面に設置面光反射構成を設ける。若しくは１つの太陽電池パネル列の南端辺とその南隣の太陽電池パネル列の北端辺との間に設けた曲面状の反射面に反射シートを貼付する。最北の列の太陽光発電装置の北端辺の上方の第四の反射シート、東端又は西端の太陽電池の隣接する列の間の第五の反射シートを張って集光率を更に高めることもできる。【選択図】図１２
2014103381.tif 000002
【特許請求の範囲】
【請求項１】
略長方形の受光面が南側上方に傾斜した太陽電池パネル列を南北方向に２列以上配置した太陽光発電装置において、
１つの太陽電池パネル列の南端辺とその南隣の太陽電池パネル列の北端辺との間に設けた曲面状の反射面に反射シートを貼付したものであり、
前記反射面は前記南端辺に平行な方向には同一高さであり、
前記南端面に垂直な断面で前記反射面を切断した断面形状について、該断面形状の接線の水平線から南側への仰角が前記南端面の距離に対して単調非減少であることを特徴とする、太陽光発電装置。
【請求項２】
前記断面形状は、前記南端辺と前記北端辺を結ぶ直線よりも下方にあり、該断面形状の南端における前記接線の傾きが太陽の最大仰角以下であり、該断面形状の北端における前記接線の傾きが太陽電池パネルの前記傾斜よりも小さいことを特徴とする、請求項１に記載の太陽光発電装置。
【請求項３】
略長方形の受光面が南側上方に傾斜した太陽電池パネル列を南北方向に２列以上配置した太陽光発電装置において、
前記太陽電池パネル列の北端辺とその下の設置面とを結ぶ第一の平面に第一の反射シートを張り、
前記太陽電池パネル列の南端辺とその下の設置面とを結ぶ第二の平面に第二の反射シートを張り、
１つの太陽電池パネル列に係る前記第一の平面の接地線とその北隣の太陽電池パネル列に係る前記第二の平面の接地線との間の設置面（列間設置面）に設置面光反射構成を設けたことを特徴とする、太陽光発電装置。
【請求項４】
前記設置面光反射構成が、前記列間設置面に第三の反射シートを張ったものであることを特徴とする、請求項１に記載の太陽光発電装置。
【請求項５】
前記設置面光反射構成が、前記列間設置面に光反射率７０％以上の白砂又は白砂利を敷いたものであることを特徴とする、請求項１に記載の太陽光発電装置。
【請求項６】
建物の屋上に設置されるものであり、
前記設置面光反射構成が、前記列間設置面を白色に塗装したものであることを特徴とする、請求項１に記載の太陽光発電装置。
【請求項７】
前記第一の反射シート及び第二の反射シートの少なくとも一方が、その表面の２０％以上の面積を占める傾斜部を有し、
前記傾斜部は、その反射シートが張られる前記第一の平面又は前記第二の平面に対して、南北方向の垂直面において３°以上の角度の相違を有することを特徴とする、請求項１〜４のいずれか1項に記載の太陽光発電装置。
【請求項８】
前記傾斜部が、反射シートの表面をエンボス加工することによって形成されたものであることを特徴とする、請求項５に記載の太陽光発電装置。
【請求項９】
略長方形の受光面が南側上方に傾斜した太陽電池パネル列を南北方向に２列以上配置した太陽光発電装置において、
前記太陽電池パネル列の北端辺とその下の設置面とを結ぶ第一の平面又は前記太陽電池パネル列の南端辺とその下の設置面とを結ぶ第二の平面の一方に追加太陽電池パネル列を設け、
他方に反射シートを張り、
前記追加太陽電池パネル列は前記太陽電池パネル列（追加太陽電池パネル列以外の太陽電池パネル列）と電気的に並列に接続され、
ある太陽電池パネル列に係る前記第一の平面の接地線とその北隣の太陽電池パネル列に係る前記第二の平面の接地線との間の設置面（列間設置面）に設置面光反射構成を設けたことを特徴とする、太陽光発電装置。
【請求項１０】
略長方形の受光面が南側上方に傾斜した太陽電池パネル列を南北方向に２列以上配置した太陽光発電装置において、
前記太陽電池パネル列の北端辺とその下の設置面とを結ぶ第一の平面に第一の追加太陽電池パネル列を設け、
前記太陽電池パネル列の南端辺とその下の設置面とを結ぶ第二の平面に第二の追加太陽電池パネル列を設け、
前記第一の追加太陽電池パネル列、前記第二の追加太陽電池パネル列及び前記太陽電池パネル列（追加太陽電池パネル列以外の太陽電池パネル列）が電気的に並列に接続され、
ある太陽電池パネル列に係る前記第一の平面の接地線とその北隣の太陽電池パネル列に係る前記第二の平面の接地線との間の設置面（列間設置面）に設置面光反射構成を設けたことを特徴とする、太陽光発電装置。
【請求項１１】
前記太陽光発電装置の北端辺の上方、又はその更に北側に、第四の反射シートを張ったことを特徴とする、請求項１〜８のいずれか１項に記載の太陽光発電装置。
【請求項１２】
前記２列以上配置した太陽電池パネル列の東端又は西端の少なくとも一方が直線上に揃い、
隣接する太陽電池パネル列の間の前記直線の部分に第五の反射シートを張ったことを特徴とする、請求項１〜９のいずれか１項に記載の太陽光発電装置。
【発明の詳細な説明】
【技術分野】
【０００１】
本発明は、太陽光発電装置に関するものである。
【背景技術】
【０００２】
太陽光発電装置において、太陽電池の受光面に照射される光の量（受光量）を多くするために、受光面以外の箇所に反射鏡を設けて光を受光面に向ける技術が知られている。例えば、特許文献１には多数の反射鏡からなる集光装置を用いる太陽光発電装置が開示されている。また、特許文献２には、受光面の間に平面状の反射鏡を設けた太陽光発電装置が開示されている。
しかし、これらの方法は、重量の重い反射鏡を設置する架台を強化する必要があることなどのため、プラントの建設費がかさむといった問題があった。
【０００３】
上記の問題の解決策として、重量の重いガラス鏡でなく、光を反射するシート（反射シート）を用いることが提案されている。例えば、特許文献３には樹脂性の反射シートが、特許文献４にはミラーシートが、開示されている。特に、特許文献４には、ミラーシートが太陽光発電装置に活用されるものとして記載されている。
しかし、シートについては、設置後に、風によって破断してしまう問題があり、特許文献１や特許文献２において反射鏡が設置される箇所に反射シートを設けることは困難であった。このため、光を反射させての集光率が十分には得られなかった。
【０００４】
以上のとおり、反射シートを用いて十分な集光率を得る方法は開示されていなかった。
【先行技術文献】
【特許文献】
【０００５】
【特許文献１】特開２０１２−０３８９５４号公報
【特許文献２】特開２０１１−１７６２５１号公報
【特許文献３】特開２００５−０５９３８２号公報
【特許文献４】特開２０１２−１８１３０１号公報
【発明の概要】
【発明が解決しようとする課題】
【０００６】
解決しようとする課題は、反射シートを用いて十分な集光率を得るような太陽光発電装置を提供することである。
【課題を解決するための手段】
【０００７】
本発明の太陽光発電装置は、
略長方形の受光面が南側上方に傾斜した太陽電池パネル列を南北方向に２列以上配置した太陽光発電装置において、
１つの太陽電池パネル列の南端辺とその南隣の太陽電池パネル列の北端辺との間に設けた曲面状の反射面に反射シートを貼付したものであり、
前記反射面は前記南端辺に平行な方向には同一高さであり、
前記南端面に垂直な断面で前記反射面を切断した断面形状について、該断面形状の接線の水平線から南側への仰角が前記南端面の距離に対して単調非減少であることを特徴とする。
【０００８】
図１は、太陽光発電装置の構成を示す図である。図は、太陽光発電装置を東側から見た図であり、図の左側が南側である。太陽電池の受光面６は、南側上方に角度βだけ傾斜している。１つの太陽電池パネル列（図において受光面６を有する太陽電池パネル列）の南端辺とその南隣の太陽電池パネル列の北端辺との間に、反射面７が設けられ、反射面７には反射シートが張られている。反射面９に張られた反射シートは、風による破断等が少ない。
反射面９は、東西方向には一様の形状、すなわち南端辺に平行な方向には同一高さである。また、東側から見た図、すなわち南北方向の断面において南側ほど急傾斜、すなわち接線の水平線から南側への仰角が前記南端面の距離に対して単調非減少である。
太陽は、南向仰角αの位置にあるものとする。ここで「南向仰角」とは、太陽光を図７に示す平面に投影した場合の、平面内における水平線と太陽光のなす角を言う。実際の仰角をθ、太陽の方向と真南方向とのなす角をφとすると、
【数１】
2014103381.tif 000003
である。
なお、本明細書においては、太陽光発電装置が北半球に設置され太陽光が南側から照射される前提として、「南」及び「北」の語を用いる。太陽光発電装置が南半球に設置される場合には「南」と「北」とを逆にすれば同等のものとなる。
図２は、光の経路を示す図である。この図も、太陽光発電装置を東側から見た図である。反射面の接線の方向が変化し、反射面９で反射した入射光は、受光面６の各所に投光される。図には、受光面６の最上端及び最下端に投光される光を示す。図に示す２つの実線矢印の間の入射光は、受光面６の全体にほぼ一様に投光される。太陽電池パネルの出力は投光量が最小の箇所の投光量に依存するので、ほぼ一様に投光されることで太陽電池パネルを有効に活用することができる。
太陽の位置が変化し、南向仰角が変化しても、反射面９の他の箇所によって、同様に受光面６の全体へのほぼ一様な投光が実現される。
【０００９】
本発明の太陽光発電装置は、
前記断面形状は、前記南端辺と前記北端辺を結ぶ直線よりも下方にあり、該断面形状の南端における前記接線の傾きが太陽の最大仰角以下であり、該断面形状の北端における前記接線の傾きが太陽電池パネルの前記傾斜よりも小さいことを特徴とする。
【００１０】
図３は、反射面を示す図である。図は、南北方向の断面図である。
反射面９は、北側の太陽電池パネル列の南端辺と南側の太陽電池パネル列の北端辺を結ぶ直線よりも下方にあり、反射せずに直接に受光面６に投光される光を妨げることがない。
また、反射面９の南端における接線の傾きθＳは太陽の最大仰角以下であり、光が反射面の裏側に回りこむことがない。ここで「最大仰角」とは、南向仰角の最大値を言い、夏至の日の南中時における仰角が相当する。
そして、反射面９の北端における接線の傾きθＮは太陽電池パネルの傾斜βよりも小さく、日の出直後及び日没直前の南向仰角の小さな光についても受光面に向けて反射させることを可能としている。
【００１１】
本発明の太陽光発電装置は、
略長方形の受光面が南側上方に傾斜した太陽電池パネル列を南北方向に２列以上配置した太陽光発電装置において、
前記太陽電池パネル列の北端辺とその下の設置面とを結ぶ第一の平面に第一の反射シートを張り、
前記太陽電池パネル列の南端辺とその下の設置面とを結ぶ第二の平面に第二の反射シートを張り、
１つの太陽電池パネル列に係る前記第一の平面の接地線とその北隣の太陽電池パネル列に係る前記第二の平面の接地線との間の設置面（列間設置面）に設置面光反射構成を設けたことを特徴とする。
【００１２】
ここで、「設置面光反射構成」は、光を反射するようなものであれば何であってもよい。
図４は、太陽光発電装置の構成を示す図である。図は、太陽光発電装置を東側から見た図であり、図の左側が南側である。太陽電池の受光面６は、南側上方に角度βだけ傾斜している。第一の反射シート１及び第二の反射シート２が図のように張られ、列間設置面３は図に示された位置にある。太陽は、南向仰角αの位置にあるものとする。
以下、第一の反射シート１、第二の反射シート２及び列間設置面３は平面鏡と同様に光を反射するものとして説明する。
図５は、光の経路を示す図である。この図も、太陽光発電装置を東側から見た図である。夏季（おおよそ春分から秋分まで）においては、太陽は、真東又は真西よりも北側に位置する時間帯がある。受光面６は南向きであるので、太陽光は受光面６を直接には照射しない。しかし、南向仰角γが小さければ、図に示すように、太陽光は、第一の反射シート１、第二の反射シート２、列間設置面３、第一の反射シートによって順に反射されて、受光面６を照射する。（γは、厳密には「南向仰角」ではなく「北向仰角」と呼ぶべきであるが、南北方向において反射するので「南向仰角」と同じ意味合いとなる。）
図６は東西方向の光の経路を示す図である。図は、太陽光発電装置を上側から見た図である。図５においては南北方向の光の経路が示されているが、早朝又は夕方の太陽光はおおよそ東又はおおよそ西から入射するため、図６に示すように、太陽電池の１列の長さを超えて東西方向に動き、受光面６を照射せずに放射されてしまう可能性がある。この可能性については太陽電池の１列の長さを長くして減少させることができる。
図７は、光の経路を示す図である。太陽が真東又は真西よりも南側に位置する場合において、受光面６を直接には照射せず第二の反射シート２によって反射される光の南向仰角の最小値αminは、図に示すように、太陽電池の列の間隔ｄによって定まる。列の間隔ｄが太陽電池の幅ｗよりも短いならば、αmin＞βとなる。第二の反射シート２、列間設置面３及び第一の反射シート１を経由して放射される光は、αminだけ上方に傾斜して放射され、受光面６に照射されることなく上方に向かう。なお、図に示す経路以外の複雑な経路を経て放射される場合もあるが、いずれの場合にもαminだけ上方に傾斜して放射されることに変わりなく、受光面６に照射されることなく上方に向かう。
以上のとおり、第一の反射シート１、第二の反射シート２及び列間設置面３が平面鏡と同様に光を反射するものとした場合には、太陽が真東又は真西よりも北側に位置する時間帯において太陽光の一部を反射して受光面６に照射する効果を持つ。また、列の間隔ｄが太陽電池の幅ｗよりも長い場合には、太陽が真東又は真西よりも南側に位置する時間帯においても受光面６に照射される光量を増加させる効果を持ち得る。
【００１３】
本発明の太陽光発電装置は、
前記設置面光反射構成が、前記列間設置面に第三の反射シートを張ったものであること、前記列間設置面に光反射率７０％以上の白砂又は白砂利を敷いたものであることを特徴とする。
【００１４】
列間設置面３は平面鏡と同様に光を反射するものとして、上記説明をしたが、列間設置面３は工事等で人が歩くこともある箇所である。そこで、第三の反射シートを張って工事等の際には除去すること、若しくは、白砂又は白砂利を敷いて光を反射させることが好ましい。
【００１５】
本発明の太陽光発電装置は、
建物の屋上に設置されるものであり。
前記設置面光反射構成が、前記列間設置面を白色に塗装したものであることを特徴とする。
【００１６】
建物の屋上に設置される場合には、列間設置面はコンクリート面であることが多く、光を反射するように白色に塗装することが容易である。施工にかかる手間が小さくなる。
【００１７】
本発明の太陽光発電装置は、
前記第一の反射シート及び第二の反射シートの少なくとも一方が、その表面の２０％以上の面積を占める傾斜部を有し、
前記傾斜部は、その反射シートが張られる前記第一の平面又は前記第二の平面に対して、南北方向の垂直面において３°以上の角度の相違を有することを特徴とする。
【００１８】
上述のとおり、第一の反射シート１、第二の反射シート２及び列間設置面３が平面鏡と同様に光を反射するものとした場合には、太陽が真東又は真西よりも南側に位置する時間帯において受光面６に照射される光量を増加させる効果を持つためには、列の間隔ｄが太陽電池の幅ｗよりも長いことが必要である。一方、太陽光発電装置を設置する面積に対する受光面の面積を大きくするためには、列の間隔ｄを小さくしたい。そこで、列の間隔ｄを小さくしても太陽が真東又は真西よりも南側に位置する時間帯において受光面６に照射される光量を増加させる効果を持たせるために、傾斜部を設けて平面鏡とは異なる光の反射を実現する。以下、傾斜部の効果について説明する。
図８は、光の経路を示す図である。図７との相違は、第一の反射シートが垂直よりも角度δだけ、上部が北側に下部が南側に、傾いている点である。第一の反射シートの全体が一様に角度δで傾斜しているものではないが、垂直よりも角度δだけ傾いた部分に当たる光について説明するものである。なお、第一の反射シートの表面が曲面形状である場合には、その接面の傾斜角をδとして同様の結果となる。
第一の反射シートが垂直よりも角度δだけ傾いていることより、第二の反射シート２、列間設置面３及び第一の反射シート１を経由して放射される光は、第一の反射シートに反射されて受光面６の方向に向かう時に、図７よりも２δだけ下方を向くこととなる。β＋２δ＞αminであれば、β＜αminであっても、反射される光が受光面６を照射するような南向仰角αが存在することとなる。なお、図に示す経路以外の複雑な経路を経て放射される場合もあるが、いずれの場合にも第一の反射シートに反射される都度２δだけ下方を向くことに変わりなく、反射される光が受光面６を照射するような南向仰角αが存在する。
より多くの光に受光面６を照射させることができる。
また、第二の反射シートが垂直よりも角度δだけ（第一の反射シートの場合と同様に上部が北側に下部が南側に）傾いているとしても、同様の効果を得る。
なお、δの具体的な値については、太陽光発電装置を設置する場所の緯度等に対して最適化した値として設計すればよい。１つの最適値が定まるものではないので本明細書では具体的な値についての言及はしないが、３°程度の傾きがあれば効果が認められる。
【００１９】
本発明の太陽光発電装置は、
前記傾斜部が、反射シートの表面をエンボス加工することによって形成されたものであることを特徴とする。
【００２０】
傾斜部の各点が光を反射するので、反射シート全体として一様に傾斜しているものでなく小さな部分の傾斜であっても効果を得ることができる。平面に対して数ｍｍ程度の凹凸によって生じる傾斜であればエンボス加工によって容易に形成することができ、効果を持った反射シートを低コストで生産することができる。
図９は、反射シートの表面を示す図である。例えば、一辺５ｍｍの正方形の区画を一単位とし、各単位の中央が平面に対して１ｍｍだけ突出した四角錐形状とすることにより、上方傾斜部７及び下方傾斜部８は反射シートが張られる平面に対して約２２°傾くこととなる。
反射シートが張られる平面に対して３°以上の角度の相違を有する傾斜部が、約２５％の面積となる。
第一の平面に張られる場合には下方傾斜部８が、第二の平面に張られる場合には上方傾斜部７が、上述の効果を有する。１種類の反射シートのみで、第一の平面及び第二の平面に使用することができる。
【００２１】
本発明の太陽光発電装置は、
略長方形の受光面が南側上方に傾斜した太陽電池パネル列を南北方向に２列以上配置した太陽光発電装置において、
前記太陽電池パネル列の北端辺とその下の設置面とを結ぶ第一の平面又は前記太陽電池パネル列の南端辺とその下の設置面とを結ぶ第二の平面の一方に追加太陽電池パネル列を設け、
他方に反射シートを張り、
前記追加太陽電池パネル列は前記太陽電池パネル列（追加太陽電池パネル列以外の太陽電池パネル列）と電気的に並列に接続され、
ある太陽電池パネル列に係る前記第一の平面の接地線とその北隣の太陽電池パネル列に係る前記第二の平面の接地線との間の設置面（列間設置面）に設置面光反射構成を設けたことを特徴とする。
【００２２】
第一の平面又は第二の平面に反射シートを張ることに替えて、追加太陽電池パネル列を設ける。
反射シートは、光を反射させて最終的に受光面６を照射させるために設けるものである。反射シートに替えて追加太陽電池パネル列を設ければ光を反射させずに追加太陽電池パネル列の受光面を照射させることができ、第一の平面又は第二の平面に照射される光を全て発電に用いることができる。受光面６に照射されることなく上方に向かう光がない分だけ、効率が高い。
この場合、追加太陽電池パネル列への光照射量と追加太陽電池パネル列以外の太陽電池パネル列への光照射量とが異なるので、発生電流が異なる。したがって、これらの太陽電池パネル列を直列に接続すると発生電流が小さいほうのものに全体の発電電流が制約されてしまう。そこで、並列に接続する。
なお、列間設置面は、工事等で人が歩くこともある箇所であり、追加太陽電池パネル列を設けることが困難であるので、設置面光反射構成を設ける。
【００２３】
本発明の太陽光発電装置は、
略長方形の受光面が南側上方に傾斜した太陽電池パネル列を南北方向に２列以上配置した太陽光発電装置において、
前記太陽電池パネル列の北端辺とその下の設置面とを結ぶ第一の平面に第一の追加太陽電池パネル列を設け、
前記太陽電池パネル列の南端辺とその下の設置面とを結ぶ第二の平面に第二の追加太陽電池パネル列を設け、
前記第一の追加太陽電池パネル列、前記第二の追加太陽電池パネル列及び前記太陽電池パネル列（追加太陽電池パネル列以外の太陽電池パネル列）が電気的に並列に接続され、
ある太陽電池パネル列に係る前記第一の平面の接地線とその北隣の太陽電池パネル列に係る前記第二の平面の接地線との間の設置面（列間設置面）に設置面光反射構成を設けたことを特徴とする。
【００２４】
第一の平面及び第二の平面の両方について、反射シートを張ることに替えて追加太陽電池パネル列を設ける。
【００２５】
本発明の太陽光発電装置は、
前記太陽光発電装置の北端辺の上方、又はその更に北側に、第四の反射シートを張ったことを特徴とする。
【００２６】
図１０は、光の経路を示す図である。第四の反射シートで反射された光の一部は、図に示すような経路を通り得るものであり、以下の（１）及び（２）の効果を有する。（１）直接に受光面６を照射する。（２）各列の太陽電池に貼られた第一の反射シート１によって反射され、さらに列間設置面３、第二の反射シート２、第一の反射シート１による反射を経て、受光面６を照射する。なお、図に示す経路以外の複雑な経路を経て放射される場合においても、受光面６を照射する場合がある。
受光面６を照射する光の量を増やすことができる。
【００２７】
本発明の太陽光発電装置は、
前記２列以上配置した太陽電池パネル列の東端又は西端の少なくとも一方が直線上に揃い、
隣接する太陽電池パネル列の間の前記直線の部分に第五の反射シートを張ったことを特徴とする。
【００２８】
図１１は、光の経路を示す図である。第五の反射シート５のない図６においては太陽電池の１列の長さを超えて東西方向に動き放射されてしまう光が、第五の反射シートによって反射され、太陽電池の１列の長さにかかわらずに受光面６を照射する。
【発明の効果】
【００２９】
反射シートを用いて十分な集光率を得るような太陽光発電装置を提供することができる。
【図面の簡単な説明】
【００３０】
【図１】図１は、太陽光発電装置の構成を示す図である。
【図２】図２は、光の経路を示す図である。
【図３】図３は、反射面を示す図である。
【図４】図４は、太陽光発電装置の構成を示す図である。
【図５】図５は、光の経路を示す図である。
【図６】図６は、東西方向の光の経路を示す図である。
【図７】図７は、光の経路を示す図である。
【図８】図８は、光の経路を示す図である。
【図９】図９は、反射シートの表面を示す図である。
【図１０】図１０は、光の経路を示す図である。
【図１１】図１１は、光の経路を示す図である。
【図１２】図１２は、太陽光発電装置を示す斜視図である。
【図１３】図１３は、太陽光発電装置の寸法を示す図である。
【発明を実施するための形態】
【００３１】
以下、本発明の実施例を示す。本発明の原理については既に十分に説明した。本実施例は、１つの実装例とその効果を示すものである。上述のとおり、本実施例とは異なる実施形態もあり、本発明の技術的範囲は本実施例に限定されない。
【実施例１】
【００３２】
図１２は、太陽光発電装置を示す斜視図である。５列の太陽電池が平行に配されており、これらの列の間の４つのレーンにはいずれも第一の反射シート１、第二の反射シート２及び第三の反射シート３が張られている。最北の列の太陽電池の上方には第四の反射シート４が張られている。太陽電池の東端及び西端には第五の反射シート５が張られている。なお、太陽電池、第四の反射シート４等は支柱によって支えられているが、図において支柱は適宜省略してある。
反射シートはいずれも、図９に示したものである。
【００３３】
図１３は、太陽光発電装置の寸法を示す図である。図は最北の列の太陽電池及びその隣の列の太陽電池の北端を示したものである。なお、図中の数字は、寸法をｍｍ単位で表したものである。
【００３４】
本実施例によれば、課題を解決するための手段に述べた方法の全てが実装され、受光面を照射する光の量を増やすことができる。出願人のシミュレーションによれば、本実施例の太陽光発電装置が北緯３５°の場所に設置された場合、年間総計（全ての時間において晴天であるとした場合）で、太陽光発電装置の発電量が反射シートがないものと比較して約４０％増加する。
【００３５】
本実施例においては、図７に示した構成を用いたが、図４に示した構成を用いることも可能である。
【産業上の利用可能性】
【００３６】
反射シートを用いて十分な集光率を得るような太陽光発電装置であり、多くの発電事業者による利用が考えられる。
【符号の説明】
【００３７】
１  第一の反射シート
２  第二の反射シート
３  列間設置面（第三の反射シート）
４  第四の反射シート
５  第五の反射シート
６  受光面
７  上方傾斜部
８  下方傾斜部
９  反射面
【図１】
2014103381.tif 000004
【図２】
2014103381.tif 000005
【図３】
2014103381.tif 000006
【図４】
2014103381.tif 000007
【図５】
2014103381.tif 000008
【図６】
2014103381.tif 000009
【図７】
2014103381.tif 000010
【図８】
2014103381.tif 000011
【図９】
2014103381.tif 000012
【図１０】
2014103381.tif 000013
【図１１】
2014103381.tif 000014
【図１２】
2014103381.tif 000015
【図１３】
2014103381.tif 000016